【手続補正書】
【提出日】平成18年10月12日(2006.10.12)
【手続補正１】
【補正対象書類名】明細書
【補正対象項目名】全文
【補正方法】変更
【補正の内容】
【書類名】        明細書
【発明の名称】    マッサージ装置
【特許請求の範囲】
【請求項１】    基部と、該基部左右に各々配備された膨縮可能な一対の相対膨縮壁と、各一対の膨縮壁にエアーを給排して一対の膨縮壁を相対的に繰返し膨縮させるエアー給排機構とを有し、膨縮可能な一対の相対膨縮壁により、基部上に載置された両足を各々挟持して膨縮マッサージできるようにしたマッサージ装置であって、該マッサージ装置の基部内には、基部上面又は／及び相対膨縮壁に振動を伝達させるようにした振動機構を配備して、基部上に載置された両足に同時或いは間欠的に振動を付与させるようにした事を特徴とするマッサージ装置。
【請求項２】    基部と、該基部左右に各々配備された膨縮可能な一対の相対膨縮壁と、各一対の膨縮壁にエアーを給排して一対の膨縮壁を相対的に繰返し膨縮させるエアー給排機構とを有し、膨縮可能な一対の相対膨縮壁により、基部上に載置された両足を各々挟持して膨縮マッサージできるようにしたマッサージ装置であって、該マッサージ装置の基部の中央部に山部を形成し、且つ、該基部内には、基部上面又は／及び相対膨縮壁に振動を伝達させるようにした振動機構を配備して、基部上に載置された両足に同時或いは間欠的に振動を付与させるようにした事を特徴とするマッサージ装置。
【請求項３】    前記基部に配備される振動機構は、振動を付与する振動源と、該振動源に当接して振動を伝達する振動板とで構成し、該振動板は、前記基部の上部に配設してある事を特徴とする請求項１又は請求項２記載のマッサージ装置。
【請求項４】    前記基部は、該基部本体の左右両側端に、椅子の足載台に取着可能な係着部材を各々設けた基部である事を特徴とする請求項１又は請求項２記載のマッサージ装置。
【発明の詳細な説明】
【０００１】                                                     
【産業上の利用分野】
本発明は、圧縮空気の給排に応じて膨脹・収縮する施療膨縮壁を有し、使用者の足部適所に膨縮マッサージと振動マッサージ及び振動膨縮マッサージを行わせるようにするマッサージ装置に関する。
【０００２】
【従来の技術】
従来のマッサージ装置は、ローラー又は施療用部材を有したマッサージ機構をマッサージ椅子やケース本体に内装し、摩りや揉み又は叩きの動作を行なえるよう構成したものが一般的に知られており、これらのマッサージ装置は、施療部位にマッサージ装置を当接させる事で、摩りや揉み又は叩きのマッサージを行なえるようにしたものである。
【０００３】
また、脚部専用のものとしては、ブーツ状形成した脚部収納体に、空気給排装置に連通する膨縮袋体を内装したマッサージ装置があり、該マッサージ装置の脚部収納部に使用者の脚部を収納させて、脚部に対する空圧マッサージを行なえるように構成したものも、近年知られるようになっている。
【０００４】
【発明が解決しようとする課題】
前者のローラーや施療部材を利用した従来のマッサージ装置においては、物理的で強固なマッサージが行えるという利点を有するものであるが、逆にローラーや施療部材によって皮膚が摩擦される度合いが強く、お年寄りや皮膚が弱い使用者等の皮膚を傷めてしまうという問題があった。
【０００５】
また、後者のブーツ形状に形成されて膨縮袋体による空圧マッサージを行わせるマッサージ装置においては、膨縮袋体の膨脹により空気圧でマッサージを行なえるようにしているため、皮膚に対する摩擦は少なく、前者のもののような皮膚を傷めるという問題はないのであるが、膨縮力のみによるためマッサージが単調になり易いという問題があった。
【０００６】
本発明は、上記のような問題点に鑑みて成されたものであり、お年寄りや皮膚の弱い使用者が安心して使用でき、しかも数種の施療手段を任意に選択して使用できるマッサージ装置を提供する事を目的とするものである。
【０００７】
【課題を解決するための手段】
本発明のマッサージ装置は、上記目的を達成するために以下のように構成している。
すなわち本発明のマッサージ装置は、基部と、該基部左右に各々配備された膨縮可能な一対の相対膨縮壁と、各一対の膨縮壁にエアーを給排して一対の膨縮壁を相対的に繰返し膨縮させるエアー給排機構とを有し、膨縮可能な一対の相対膨縮壁により、基部上に載置された両足を各々挟持して膨縮マッサージできるようにしたマッサージ装置であって、該マッサージ装置の基部内には、基部上面又は／及び相対膨縮壁に振動を伝達させるようにした振動機構を配備して、基部上に載置された両足に同時或いは間欠的に振動を付与させるようにした事を特徴とするものである。
【０００８】
また本発明のマッサージ装置は、基部と、該基部左右に各々配備された膨縮可能な一対の相対膨縮壁と、各一対の膨縮壁にエアーを給排して一対の膨縮壁を相対的に繰返し膨縮させるエアー給排機構とを有し、膨縮可能な一対の相対膨縮壁により、基部上に載置された両足を各々挟持して膨縮マッサージできるようにしたマッサージ装置であって、該マッサージ装置の基部の中央部に山部を形成し、且つ、該基部内には、基部上面又は／及び相対膨縮壁に振動を伝達させるようにした振動機構を配備して、基部上に載置された両足に同時或いは間欠的に振動を付与させるようにした事を特徴とするものである。
【０００９】
更に本発明のマッサージ装置は、前記基部に配備される振動機構は、振動を付与する振動源と、該振動源に当接して振動を伝達する振動板とで構成し、該振動板は、前記基部内の上部に配設してある事を特徴とするものである。
【００１０】
また、本発明のマッサージ装置は、前記基部を、該基部本体の左右両側端に、椅子の足載台に取着可能な係着部材を各々設けた基部であり、足載台を有する椅子に取着して使用できるようにした事を特徴とするものである。
【００１１】
【作用】
本発明のマッサージ装置は、上記のような構成を採用することにより次のような作用をもたらす。
まず、本発明のマッサージ装置は、両足を挟持し得るよう基部左右に各々配備された一対の相対膨縮壁を、エアー給排機構と振動機構とで相対膨縮壁を膨縮させる事ができると共にこれを振動させる事もできるようにしているため、使用者は、両足に各一対の相対膨縮壁の膨縮による膨縮マッサージと振動による振動マッサージ、及びこれら双方による振動膨縮マッサージを任意に選択して行う事ができる。
【００１２】
また、本発明のマッサージ装置は、両足を挟持し得るよう基部左右に各々配備された一対の相対膨縮壁をエアー給排機構で相対膨縮させる事ができると共に、基部の中央部に山部を形成し、基部上面又は／及び相対膨縮壁を基部内部に配備された振動機構の振動板で振動させる事ができるようにしているため、使用者は、両足に各一対の相対膨縮壁の膨縮による膨縮マッサージと、振動機構による基部上面又は／及び相対膨縮壁からの振動マッサージと、これら相対膨縮壁の膨縮及び基部上面又は／及び相対膨縮壁からの振動による振動膨縮マッサージを任意に選択して行う事ができる。
【００１３】
更に本発明のマッサージ装置は、振動機構を、振動を伝達する振動板と該振動板に当接して振動を付与する振動源とで構成し、該振動板を前記相対膨縮壁側の基部に配設して、基部及び相対膨縮壁を同時に振動させる事ができるようにしているため、振動マッサージの効率を高めることができると共に、使用者の足部に対する包括的な振動マッサージ及び振動膨縮マッサージを行わせる事ができる。
【００１４】
更にまた、本発明は、マッサージ装置を単独使用できるのみならず、係着部材を利用して椅子に取着して使用できるようにしているため、使用者はリラックスした状態での使用が可能となり、足載台を有する椅子であれば、背凭れ部内に機械式や空気式のマッサージ機構を内装したマッサージ椅子にも使用できるものであり、その取付状態を適宜に決定する事で使用範囲は更に拡大される。
【００１５】
【発明の実施の態様】
以下、本発明のマッサージ装置を、添付図面に示す一実施例に基づいてこれを詳細に説明する。
図１は、本発明のマッサージ装置の一実施例を示す斜面図であり、図２乃至図４は本発明のマッサージ装置の各種実施例を示す説明図であり、図５は、本発明のマッサージ装置を椅子に装着した状態での一実施例を示す斜面図であり、図６乃至図８は、本発明のマッサージ装置を椅子に装着した各実施例を示す説明図である。
【００１６】
また、図９乃至図１１は、本発明のマッサージ装置の内部機構の各実施例を示す説明図である。
【００１７】
すなわち、本発明のマッサージ装置は、両足を挟持し得るよう基部１の左右に各々配備された膨縮可能な一対の相対膨縮壁２・２と、各一対の膨縮壁２・２にエアーを給排して一対の膨縮壁２・２を相対的に繰返し膨縮させるエアー給排機構３と、前記相対膨縮壁２・２に振動を伝達する振動機構４とで基本構成している。
【００１８】
前記基部１は、図１乃至図４や図９乃至図１１に示したように、内部に前記エアー給排機構３や前記振動機構４を内装し得る空間部１２を有し、外部両側には前記相対膨縮壁２・２を左右に対を成して各々配設できるよう正面視Ｗ字状に形成された本体１１と、該本体１１の左右両側端に各々設けられた、椅子５の足載台５１に取着可能な係着部材１３とで構成されており、図１に示したような状態での単体での使用と、図５に示したような椅子５に取着した状態での使用との双方を使用者が任意に選択できるようにしている。
【００１９】
前記相対膨縮壁２は、前記基部１の左右両側に使用者の両足を挟持し得るよう各々対を成して相対的に配設されたものであり、図１乃至図４や図９乃至図１１に示したように、各相対膨縮壁２は袋状に形成され、前記エアー給排機構３により給排される圧縮空気をこの内部に連通させて膨縮し、両足を同時或いは交互に挟持できるようにしている。
【００２０】
尚、前記相対膨縮壁２は、前述したように袋状に形成されるのであるが、その構成は、図示しないが、例えば、内層の素材に空気漏れ防止に有効なポリウレタン等を使用し、外層の素材に膨らみ過ぎ防止に有効な６−ナイロン等を用いて、内外二層を有する袋状にする事により、外部が稍硬性を有する膨縮可能な相対膨縮壁２とする事ができるのである。
【００２１】
前記エアー給排機構３は、図９乃至図１１に示したように、前記基部１内の適所（図面では略々中央部に設けた例を示した。）に配設されるコンプレッサー等の圧縮空気給排部材３１と、該給排部材３１に連通されて前記各相対膨縮壁２に圧縮空気を給排すべく介設された中空ホース３２とで構成され、該エアー給排機構３により圧縮空気を対向状一対の相対膨縮壁２・２に同時給排させる事で左右一対の各相対膨縮壁２・２を膨脹・収縮させる事ができるようにしているのである。
【００２２】
前記振動機構４は、図２乃至図４や図９乃至図１１に示したように、前記基部１上面部や前記各相対膨縮壁２・２・２・２を任意に振動させるようにするためのものであり、該振動機構４は、振動を付与すべく基部１内に配備される電磁式や分銅式のバイブレータ等からなる振動源４１と、該振動源４１からの振動を伝達すべく、これに当接する振動板４２とで構成している。
【００２３】
尚、前記振動機構４の配置は任意であるが、図２及び図９のように、基部１内の左右上部に各振動板４２・４２を配設すると共に、各振動板４２・４２の下部にこれらと当接するよう振動源４１・４１を夫々配備させる配置状況にした場合には、左右の各相対膨縮壁２・２間に載置される使用者の両足に基部１からの強固な振動を付与することができると共に、これら両足に対する振動を同時或いは間欠的な交互に付与することができる。
【００２４】
また、前記振動機構４を図３及び図１０のように、基部１内の中央部に山部を形成し、該山部の両端部から基部１内の左右上部に延設するよう振動板４２を配設すると共に、前記基部１の山部内に振動板４２と当接するよう振動源４１を配備させる配置状況にした場合には、左右の各相対膨縮壁２・２間に載置される使用者の両足に基部１からの均等な振動と各相対膨縮壁２・２からの振動を付与することができると共に、これら両足内側に対する各相対膨縮壁２・２からの強固な振動を同時或いは間欠的に付与することができる。
【００２５】
更に、前記振動機構４を図４及び図１１のように、基部１内の上部一面に振動板４２を配設すると共に、該振動板４２の下部にこれらと当接するよう振動源４１を配備させる配置状況にした場合には、左右の各相対膨縮壁２・２間に載置される使用者の両足に基部１及び各相対膨縮壁２・２からの均等な振動を同時或いは間欠的に付与することができる。
【００２６】
尚、前記エアー給排機構３には、図示しないが前記圧縮空気給排部材３１の作止動を制御する給排周期管理プログラム等を内蔵する事で左右両側に載置された使用者の足部に数種の異なるエアー給排を行わせ、各相対膨縮壁２・２に異なる膨縮を行わせる事ができる。
【００２７】
また、前記エアー給排機構３には、前記圧縮空気給排部材３１からの給排を制御するロータリーバルブ制御回路等の制御手段を内蔵させても良い。
【００２８】
以上のように構成された、本発明のマッサージ装置を利用するにあっては、単独での使用と、椅子５に取付けた状態での使用の双方が行えるものであり、単独で使用するにあっては、使用者の両足を左右一対の各相対膨縮壁２・２間に載置してエアー給排機構３及び振動機構４を任意に作動させる事で目的を達成できるものであり、これを椅子５に取付けて使用する場合には、椅子５の足載台５１に本発明のマッサージ装置の係着部材１３で取着した後、足載せ台５１を前方へ突出させて使用者の両足を左右一対の各相対膨縮壁２・２間に載置し、エアー給排機構３及び振動機構４を任意に作動させる事で目的を達成できる。
【００２９】
尚、本発明のマッサージ装置のエアー給排機構３及び振動機構４の電源スイッチや操作スイッチは任意の個所に設ければ良く、その取付位置は、特に限定されるものではない。
【００３０】
【発明の効果】
よって、本発明のマッサージ装置は、両足を挟持し得るよう基部左右に各々配備された一対の相対膨縮壁により、使用者の両足に膨縮マッサージと振動マッサージの他、振動膨縮マッサージを任意に選択して使用できるようにしたものであるから、ローラー又は施療用部材を有したマッサージ機構をケース本体に内装して、摩りや揉み又は叩きの動作を行なえるよう構成したものや、ブーツ状形成した脚部収納体に、空気給排装置に連通する膨縮袋体を単に内装した従来のマッサージ装置とは異なり、物理的で強固なマッサージにより皮膚を傷付けるという問題や、単調な空圧マッサージしかできないという不満が解消され、お年寄りや皮膚の弱い使用者が安心して使用でき、使用者は、両足に各一対の相対膨縮壁の膨縮による膨縮マッサージと、振動機構による振動マッサージと、これら相対膨縮壁の膨縮及び基部上面又は／及び相対膨縮壁からの振動による振動膨縮マッサージ等の数種の施療手段を任意に選択して快適なマッサージを行う事ができる。
【００３１】
また本発明は、マッサージ装置を単独使用できるのみならず、係着部材を利用して椅子に取着して使用できるようにしているため、使用者はリラックスした状態での使用が可能となる。
【００３２】
更に本発明のマッサージ装置は、足載台を有する椅子であれば、背凭れ部内に機械式や空気式のマッサージ機構を内装したマッサージ椅子にも使用できるものであり、その取付状態を適宜に決定する事で使用範囲は更に拡大される。
【図面の簡単な説明】
【図１】
本発明のマッサージ装置の一実施例を示す斜面図である。
【図２】
本発明のマッサージ装置の一実施例を示す説明図である。
【図３】
本発明のマッサージ装置の他の実施例を示す説明図である。
【図４】
本発明のマッサージ装置の他の実施例を示す説明図である。
【図５】
本発明のマッサージ装置を椅子に装着した状態での一実施例を示す斜面図である。
【図６】
本発明のマッサージ装置を椅子に装着した一実施例を示す説明図である。
【図７】
本発明のマッサージ装置を椅子に装着した他の実施例を示す説明図である。
【図８】
本発明のマッサージ装置を椅子に装着した他の実施例を示す説明図である。
【図９】
本発明のマッサージ装置の内部機構の一実施例を示す説明図である。
【図１０】
本発明のマッサージ装置の内部機構の他の実施例を示す説明図である。
【図１１】
本発明のマッサージ装置の内部機構の他の実施例を示す説明図である。
【符号の説明】
１    基部
１１    本体
１３    係着部材
２    相対膨縮壁
３    エアー給排機構
４    振動機構
４１    振動源
４２    振動板
５    椅子
５１    足載台